(57)【要約】【課題】農業用車両の各種センサは、他の作業車両と異なり、通常、発生するセンサ故障の他に、泥土や泥水、更には藁屑等の影響を受けて起こるセンサ故障も多く、消費材センサが正常に機能しない場合、補給を促す報知（警報）ができない課題があった。【解決手段】この発明は、農業用の消費材を、搭載した農業用作業車両において、走行時間と、走行距離と、作業時間と、作業面積との各計測項目の少なくとも１項目を計測する装置（３）と、消費材の残量を検出する消費材センサ（４）とを設け、制御手段（５）は、消費材の残量が設定量以下になると告知装置（６）を作動させると共に、消費材センサ（４）が正常に機能しない場合、計測装置（３）から入力される計測情報に基づき、消費材の残量が設定量以下になったと同等の計測値に達すると、告知装置（６）を作動させる構成とした農業用作業車両としている。【選択図】  図１
2009022209.tif 000002
【特許請求の範囲】
【請求項１】
作業を行いながら走行する過程で消費される消費材を搭載した作業車両（２）において、走行時間と、走行距離と、作業時間と、作業面積との各計測項目の中で、少なくとも１項目について計測する計測装置（３）を設け、前記消費材に関し、作業の進行に伴って消費されて減少する残量を検出する消費材センサ（４）を配置して設け、前記消費材センサ（４）又は前記計測装置（３）の情報に基づき消費材の補給を促す告知装置（６）に制御信号を出力する制御手段（５）を設け、前記制御手段（５）は、前記消費材センサ（４）の検出情報を優先して、消費材の残量が設定量以下になると告知装置（６）を作動させる構成とし、前記消費材センサ（４）が正常に機能しない場合、前記計測装置（３）から入力される計測情報に基づき、前記消費材の残量が設定量以下になったと同等の計測値に達すると前記告知装置（６）を作動させる構成とした作業車両。
【発明の詳細な説明】
【技術分野】
【０００１】
この発明は、作業に伴って消費される消費材の残量を、検出センサに故障が発生しても、二重安全機構により補給のタイミングを確保する作業車両に関する。
【背景技術】
【０００２】
従来から、農業用作業車両、例えば、苗移植機においては、植付部に苗載せ台が設けられて、これに苗が載置されており、施肥装置の肥料タンクには肥料が充填される構成となっている。そして、苗載せ台上の苗と肥料タンクの肥料は、植え付け作業と施肥作業によって順次消費されるから、その残量を検出するために、苗減少センサと肥料減少センサが設けられ、補給の時期がブザーやランプでオペレータに報知（警報）される構成となっている。
【０００３】
その一例として、特開平１１−５６０３６号公開特許公報は、多条植えの苗移植機において、各条の植付装置の中で、クラッチが「切」になっている条の苗減少検知手段の情報は無視し、クラッチが「入」になっている条の苗減少検知手段の検知によってのみ警報する構成が示されている。
【特許文献１】特開平１１−５６０３６号公報
【発明の開示】
【発明が解決しようとする課題】
【０００４】
出願人が提示した特許文献１から解るように、例えば、苗移植機において、移植苗の残量を検出する苗減少センサや施肥用の肥料の残量を検出する肥料減少センサは、苗等の残量を検出して、つぎの補給時期を報知する構成となっているから、作業の途中で、オペレータが気付かないうちに苗切れや肥料切れが発生し、空運転になるのを未然に防止する有効な技術手段である。
【０００５】
しかしながら、農業用作業車両は、他の作業車両と違って、通常、発生する検出センサの故障の他に、泥土や泥水、更には藁屑等の影響を受けて起こるセンサ故障も多く、特許文献１に示されている苗減少センサや肥料減少センサが正常に機能しない場合には、苗切れや肥料切れの報知（警報）ができない課題がある。
【課題を解決するための手段】
【０００６】
この発明は、上記課題を解決するために、つぎの如き技術手段を講じている。すなわち、作業を行いながら走行する過程で消費される消費材を搭載した作業車両（２）において、走行時間と、走行距離と、作業時間と、作業面積との各計測項目の中で、少なくとも１項目について計測する計測装置（３）を設け、前記消費材に関し、作業の進行に伴って消費されて減少する残量を検出する消費材センサ（４）を配置して設け、前記消費材センサ（４）又は前記計測装置（３）の情報に基づき消費材の補給を促す告知装置（６）に制御信号を出力する制御手段（５）を設け、前記制御手段（５）は、前記消費材センサ（４）の検出情報を優先して、消費材の残量が設定量以下になると告知装置（６）を作動させる構成とし、前記消費材センサ（４）が正常に機能しない場合、前記計測装置（３）から入力される計測情報に基づき、前記消費材の残量が設定量以下になったと同等の計測値に達すると前記告知装置（６）を作動させる構成とした作業車両であって、前記制御手段（５）は、前記消費材センサ（４）の検出情報を優先して、消費材の残量が設定量以下になると告知装置（６）を作動させる構成としているが、消費材センサ（４）が正常に機能しない場合には、これに代えて走行時間や走行距離や作業時間や作業面積の各計測項目の中で、少なくとも１項目の計測情報に基づき、消費材の残量が設定量以下になったと同等の計測値に達すると、告知装置（６）を作動させ、消費材の補給時期を告知できるものとし、安全性を高めたものである。
【発明の効果】
【０００７】
この発明は、作業に伴って消費される消費材の残量検出を直接行う消費材センサ（４）が正常に機能しない場合、制御手段（５）が、走行時間や、走行距離や、作業時間や、作業面積等の消費材の減少量を間接的に知ることができる各計測項目の中から、少なくとも１項目の計測情報に基づき、消費材の補給時期を告知することができる特徴がある。
【０００８】
このように、この発明によると、制御手段（５）は、少なくとも１項目の計測情報を利用して、消費材の残量が設定量以下になったと同等の計測値に達すると前記告知装置（６）に制御信号を発して作動させる構成であるから、間接的ではあっても、比較的正確に消費材の残量が設定量以下になった時点が分かり、直接検出するセンサの故障にもかかわらず、オペレータが気付かずに空運転をする等の事故はなくなり、告知装置（６）の作動により補給時期を知り、安全に作業ができる特徴がある。
【発明を実施するための最良の形態】
【０００９】
以下、図面に基づき、この発明の実施例を説明する。
まず、この出願の農業用作業車両２の実施例である乗用型田植機２は、図２、及び図３に示すように、走行車体１の後部に昇降リンク装置８を介して苗植付部９が昇降可能に装着され、車体１の後部上側に施肥装置１０が設けられている。
【００１０】
そして、走行車体１は、駆動輪である左右一対の前輪１１，１１、及び左右一対の後輪１２，１２を備えた四輪駆動車両であって、機体の前部にミッションケース１３が配置され、そのミッションケース１３の左右両側に前輪ファイナルケース１４，１４が設けられ、この前輪ファイナルケース１４，１４の操向方向を変更可能な各々の前輪支持部から外向きに突出する左右前輪車軸に、前記左右の前輪１１，１１が取り付けられている。また、ミッションケース１３の背面部にはメインフレーム１５の前端部が固着されており、そのメインフレーム１５の後端左右中央部に前後水平に設けた後輪ローリング軸を支点にして後輪ギヤケース１８，１８がローリング自在に支持され、その後輪ギヤケース１８から外向きに突出する後輪車軸に前記後輪１２，１２が取り付けられている。
【００１１】
そして、エンジン１９は、メインフレーム１５上に搭載されており、該エンジン１９の回転動力が、ベルト伝動装置２０及びＨＳＴ２１を介してミッションケース１３に伝達される構成としている。そして、ミッションケース１３は、トランスミッションによって変速した後、走行動力と外部取出動力とに分けて取出しができる構成としている。そして、走行動力は、一部が前輪ファイナルケース１４，１４に伝動されて前輪１１，１１を駆動すると共に、残りが後輪ギヤケース１８，１８に伝動されて後輪１２，１２を駆動する構成となっている。又、外部取出動力は、走行車体１の後部に設けた植付クラッチケース２２に伝動され、それから植付伝動軸２３によって苗植付部９へ伝動されると共に、上側の施肥伝動機構２４にも送られて施肥装置１０の回転各部を伝動する構成としている。
【００１２】
そして、エンジン１９の上部はエンジンカバー２６で覆われており、その上に操縦席２７が設置されている。操縦席２７の前方には、各種操作機構を内蔵するフロントカバー２８が配置され、その上部にステアリングハンドル２９が設けられている。そして、エンジンカバー２６及びフロントカバー２８の下端左右両側は、水平状のフロアステップ３０になっており、ステップの一部を格子状にしてオペレータの靴に付着した泥を下側に落とすことができる構成としている。
【００１３】
そして、予備苗載せ台３２，３２は、補給用の苗を載せるために、走行車体１の前部左右両側に配置して設け、外側に張り出して苗を載せる位置と内側の収納位置とに折り畳みできる構成となっている。
【００１４】
そして、苗植付部９を昇降させる昇降リンク装置８は、平行リンク機構であって、１本の上リンク３４と左右一対の下リンク３５，３５とから構成され、基部側が、メインフレーム１５の後部の立設した背面視門型のリンクベースフレーム３６に回動自由に枢着され、その先端側に縦リンク３７が連結されている。そして、縦リンク３７の下端部に、苗植付部９に回動自由に支承された連結軸３８が挿入連結され、連結軸３８を中心として苗植付部９がローリング自在に連結されている。そして、メインフレーム１５に固着した支持部材と上リンク３４に一体形成したスイングアーム（図示せず）の先端部との間に昇降油圧シリンダ４０が設けられており、該シリンダ４０を油圧で伸縮させることにより上リンク３４が上下に回動して苗植付部９を一定姿勢のまま昇降する構成としている。
【００１５】
そして、苗植付部９は、図面に示す実施例では、８条植えの構成で、フレームを兼ねる伝動ケース４２、マット苗を載せて左右往復動する苗載せ台３９から苗を一株分づつ各条の苗取出口４３に供給すると共に、横一列分の苗を全て苗取出口４３に供給すると、苗送りベルト４４により苗を下方に送り出す構成となっている。そして、４１は苗減少センサであって、本件出願の消費材センサ４に相当し、苗の残量を検出する構成としている。４５は苗植付杆を示している。
【００１６】
そして、苗植付部９は、図面に示すように、左右の中央位置にセンターフロー４６が配置して設けられ、その左右両側にそれぞれ２つづつのサイドフロー４７，４７が配置されて水田面を滑走しながら支持し、前記植付杆４５が苗を植え付ける圃場面を整地する構成としている。なお、上記センターフロート４６は、植付深さを調節制御するセンサ機能が備えられているが、本件出願には直接関係しないから、説明を省略する。
【００１７】
つぎに、施肥装置１０は、図面に示すように、上部の肥料ホッパー５０に貯留されている粒状の肥料を、下側の繰出部５１によって一定量づつ繰出して肥料ホース４８によって地面側の前記フロート４６，４７の側方にまで送り、先端の施肥口４９から圃場面に施肥する構成としている。この場合、ブロア５２は、上記繰出部５１の下側に連通させて強制起風する構成であって、上側から繰り出された定量の肥料を前記肥料ホース４８内に吹き込んで風圧で搬送する構成としている。
【００１８】
５３は肥料切れセンサであって、本件出願の特許請求の範囲に記載した消費材センサ４に相当し、肥料ホッパー５０内の肥料の残量を検出する構成としている。
つぎに、制御部（制御手段）５の構成を説明する。
【００１９】
まず、制御部５は、図１に示すように、入力側に後輪回転センサ５５と、畦クラッチセンサ５６と、作業面積調整ダイヤル５７と、苗減少センサ４１と、肥料切れセンサ５３とを接続し、検出情報や操作情報が入力される構成としている。なお、上記苗減少センサ４１と肥料切れセンサ５３とは、本件出願の「特許請求の範囲」に記載している消費材センサ４に相当する。
【００２０】
そして、制御部５は、出力側に作業モニタ装置５８と、苗減少告知部５９と、肥料切れ告知部６０とをそれぞれ接続している。なお、上記苗減少告知部５９と、肥料切れ告知部６０とは、本件出願の「特許請求の範囲」に記載している告知装置６に相当し、実施例は、警報ブザーでオペレーターに知らせる構成としている。そして、上記作業モニタ装置５８は、走行距離表示部６１と苗植付面積告知部６２を設けてモニタ表示ができる構成としている。
【００２１】
そして、制御部５は、後輪回転センサ５５の検出結果に基づいてＣＰＵ機能によって演算が行われ、走行時間と走行距離とを求め、検出情報として記憶保持し、更に、後輪回転センサ５５と畦クラッチセンサ５６との検出結果に基づき、同様に作業時間と作業面積とを計測して算出することができる構成としている。なお、本件出願の「特許請求の範囲」に記載している計測装置３は、後輪回転センサ５５と合わせて制御部５とを指している。実施例の場合、作業面積調整ダイヤル５７は、圃場の形状や植付方法（例えば、植付株間の間隔等）に基づいて植付面積を補正する調整ダイヤルであって、畦クラッチのＯＮ，ＯＦＦと合わせて、より正確な作業（植付）面積を算出できるものとしている。
【００２２】
そして、上記の各計測項目、すなわち、走行時間、走行距離、作業時間、作業面積は、苗載せ台３９上に新規にマット苗を補給、装填した時点でリセットされ、計測が開始されるものとしている。又、施肥装置１０についても同様であって、肥料ホッパー５０に肥料を満タン状態に充填して走行、作業を開始したときから計測が開始されるものとしている。そして、制御部５は、上記の各計測項目について、前記苗減少センサ４１、又は肥料切れセンサ５３が正常に機能しない場合にのみ利用する仕組みにしており、前記苗、又は肥料が植付作業に伴って消費され、それらの残量が設定量以下になったと同等の計測値に達すると、間接的に補給の時であることを告知する構成としている。
【００２３】
このように、制御部５は、作業中に何らかのトラブルによって、苗減少センサ４１、又は肥料切れセンサ５３が正常に機能しない場合、前記各計測項目の中で、少なくとも１項目の計測情報（４項目全ての計測数値に基づく総合判断にする構成にするのは自由である。）に基づき、苗、又は肥料の残量が設定量以下になったと同等の計測値に達すると、前記告知装置（苗減少告知部５９、又は肥料切れ告知部６０）６を作動させる構成としている。
【００２４】
つぎにその作用を説明する。
まず、乗用型田植機２は、苗載せ台３９上にマット苗を装填し、肥料ホッパー５０に肥料を充填して田植作業を開始する。そのとき、制御部５は、ＯＮの状態に立ち上げてスタートすると、各センサから検出情報が入力されながら正常に作業が進んでいく。そして、苗減少センサ４１と肥料切れセンサ５３は、正常に機能しているときには、前記のごとく計測されている走行時間、走行距離、作業時間、作業面積が苗、及び肥料の補給ごとにキャンセルされ、新規に計測が開始されることになる。
【００２５】
そして、制御部５は、田植作業の途中において、苗減少センサ４１、又は肥料切れセンサ５３が、何らかの原因で正常に機能せず、検出情報の入力が中断してしまうと、前記各計測項目の中で、少なくとも１項目の計測情報に基づき、苗、又は肥料の残量が設定量以下になったと同等の計測値に達すると、告知装置（苗減少告知部５９、又は肥料切れ告知部６０）６に制御信号を出力して作動させ、オペレーターに補給時期を告知するのである。
【００２６】
このように、実施例は、制御部５が、少なくとも１項目の計測情報を利用して、苗、又は肥料の残量が設定量以下になったと同等の計測値に達したとき、告知装置６に制御信号を発して作動させるから、間接的ではあっても、比較的正確に苗、又は肥料の残量が設定量以下になった時点が分かり、直接検出する苗減少センサ４１、又は肥料切れセンサ５３の故障にもかかわらず、オペレータが気付かずに空運転をする等の事故はなくなり、苗減少告知部５９、又は肥料切れ告知部６０の作動により補給時期を知り、安全に田植え作業を継続することができる。
【００２７】
つぎに、乗用型田植機２に搭載しているＨＳＴ２１に関する実施例を説明する。
この種の油圧無段変速装置であるＨＳＴは、これを移動車両に搭載した場合、発進時（又は停止時）に急激なレバー操作をすると、油路内の圧力が極端に変動してショックが発生し、スムースなスタートができない課題がある。例えば、特開平１０−５４４６１号公開特許公報は、上記の如き課題を解決する技術として開発されて出願公開されている。
【００２８】
以下、本件出願の実施例を説明する。まず、ＨＳＴ２１は、図４に示すように、可変容量型の油圧ポンプＰから第一油路（高圧側）６５を経由して油圧モーターＭに作動油が供給され、正回転（前進）をし、前記油圧ポンプＰから第二油路（低圧側）６６を経由して作動油が前記油圧モーターＭに供給されることによって逆回転（後進）を得る油圧式無段変速装置を構成している。そして、圧抜き回路６７は、上記第一油路６５と第二油路６６とにそれぞれ接続し、サージ圧を除去する圧抜きバルブ装置６８が接続して設けられ、異常圧が発生するとドレン油路６９からタンク７０に逃がす構成としている。そして、圧抜きバルブ装置６８は、第一油路６５、及び第二油路６６にそれぞれ接続した両側に連通させて、外側ポペット７２に内側ポペット７３を重ねて二重構成とし、内側から外側に向けて張圧させ、外側ポペット７２より内側ポペット７１のばね圧を強くした構成としている。
【００２９】
したがって、圧抜きバルブ装置６８は、圧抜き回路６７に流入した作動油の圧が設定値より高く、異常圧の場合のみ内側ポペット７３を張圧力に抗して押し開き、ドレン油路６９に逃がされて機外のタンク７０に送られることになる。
【００３０】
このように、実施例に係るＨＳＴ２１は、発進時にＨＳＴレバーを急激に操作することによって発生する作動油の異常な圧力を、第一、及び第二油路６５，６６に接続した圧抜き回路６７の圧抜きバルブ装置６８によってドレン油路６９からタンク７０に逃がしてショック抜きをすることができる。したがって、乗用型田植機２は、ＨＳＴ２１による発進時のショックがなくなり、スムースなスタートができる利点がある。
【００３１】
つぎに、ＨＳＴの製品としての良否判定に関する実施例を、図５、乃至図７に基づいて説明する。
通常、ＨＳＴ内部に循環する作動油は、低い蒸気圧が生じると、内部に空隙が発生し、これが油切れの要因となってロックに繋がる虞があることが知られている。そこで、図５のグラフは、各オイルの蒸気圧の変化（温度変化の伴う）を示している。そして、図６は、ＨＳＴの製品良否の検査における周波数分析表であって、ＨＳＴの吐出側において油圧データを分析して示している。
【００３２】
実施例は、油圧センサと油圧センサ信号の周波数分析部とを備えた装置において、図７のフローチャートに示すように、油圧信号を測定して周波数分析を行い、つぎに、パワースペクトル算出によって各周波数の発生する油圧を求め、一定基準値以下の状態の有無を判定するものである。そして、ＨＳＴは、図６に示すように、基準値より圧力の低い周波数の製品を不良品と判断し、製品（商品）から除外するのである。
【００３３】
そして、ＨＳＴ内の作動油となるオイルの蒸気圧は、油温によって左右される傾向が強いから、評価を行うための圧力設定値を温度に基づいて補正を行うものとした。したがって、ＨＳＴは、生産時期（季節ごとの外気温度の変化）の影響を少なくし、精度の高い検査を行うことができる。
【００３４】
そして、ＨＳＴの出荷時に行う診断方法として、ＨＳＴの油圧ポンプから油圧モーターに作動油を送る高圧側と低圧側との双方の圧力振幅値を測定し、その振幅値が一定値の範囲内にない場合、構成部品の精度に異常があり、焼き付きや性能不良の虞があると判定して不良品として出荷しないものとする。
【００３５】
要するに、実施例に係る圧力振幅値測定は、高圧側圧力振幅値を測定する方法に合わせて、低圧側の測定も行って、不良箇所を知ることができる優れた検査手段である。
つぎに、植付伝動装置について、図８に基づき実施例を説明する。
【００３６】
この種の植付伝動装置は、疎植用のために偏芯ギヤを利用した不等速伝動機構を備えた伝動装置であって、伝動の途中に不等速に起因して「シャクリ上げ現象」が起きる課題がある。このような植付伝動装置は、本件特許出願人の出願に係る先願（特開２００５−１４３３４０号公開特許公報参照）によって公知の技術となっている。
【００３７】
まず、植付クラッチケースにおける株間変速機構を説明すると、株間変速用シフター７５は、押引き操作によって株間変速が高速側からＡ，Ｂ，Ｃ，Ｄの４段階の変速切換ができる構成となっている。７６は上記シフター７５を係止するボールを示している。７７は入力軸、７８はクラッチ軸を示している。
【００３８】
以下、株間変速の概略を説明すると、Ａの変速系は、入力軸７７に摺動自由にスプライン係合しているギヤ７９からクラッチ軸７８上に遊嵌しているギヤ８０に歯合し、不等速切替クラッチ８１を経由してクラッチ軸７８に伝わって植付クラッチ８２側へ伝動される経路となっている。
【００３９】
つぎに、Ｂの変速系は、ギヤ８３からギヤ８４、不等速切替クラッチ８１を経由してクラッチ軸７８から植付クラッチ８２側へ伝動される経路となっている。そして、Ｃの変速系は、ギヤ７９からギヤ８４を経由して不等速切替クラッチ８１を経由してクラッチ軸７８、植付クラッチ８２側へ伝動される経路となっている。最後のＤの変速系は、ギヤ８５、ギヤ８６、ギヤ８７を経由して、前記入力軸７７に遊嵌しているギヤ８８、ギヤ８９、クラッチ軸７８に遊嵌しているギヤ９０を経由して不等速切替クラッチ８１を経由してクラッチ軸７８、植付クラッチ８２側へ伝動される経路となっている。
【００４０】
そして、不等速切替クラッチ８１は、オペレーターが不等速切替操作レバーの切替操作によって行われ、上記Ａ，Ｂ，Ｃの変速時には、図８において、紙面右に係合し、Ｄの変速では、図８の紙面左に操作して係合する構成としている。そして、上記ギヤ８９，９０は、偏芯ギヤから形成された不等速伝動機構となっており、前記不等速切替クラッチ８１をギヤ９０に契合した時にクラッチ軸７８に不等速伝動が伝わる構成となっている。
【００４１】
以上説明した植付伝動装置は、上記特開２００５−１４３３４０号公開公報に開示されている公知の技術であるが、実施例は、植付クラッチ８２を構成している定位置停止カム９１を張圧するクラッチスプリング９２を押圧するカム機構９３を設けている。実施例は、図８に示すように、入力軸７７の右端部に遊嵌状態に軸装されているカム駆動ギヤ９４が前記不等速クラッチ８１の不等速側（図８の右方向）への入り操作に連動して爪クラッチ９５が係合してカム駆動ギヤ９４を入りにする構成となっている。
【００４２】
そして、カム機構９３は、回転に伴って固定カム９６に案内されながらクラッチ軸７８の軸方向に左右へ移動しながら回転し、前記クラッチスプリング９２を押圧したり緩めたりする構成となっている。そして、植付伝動軸２３は、図８に示すように、植付クラッチ８２が入りになるとユニバーサルジョイント９７を介して伝動され、苗植付杆４５を伝動する構成としている。
【００４３】
以上の構成によって、実施例は、回転するカム機構９３が固定カム９６のカム面によって左右に摺動して植付クラッチ８２の荷重が大きくなる位置でクラッチスプリング９２を左側に強く張圧して定位置停止カム９１を強く駆動側へ押圧することができるから、偏芯伝動のシャクリ上げ現象を阻止することができる利点がある。
【００４４】
更に、実施例は、苗植付杆４５の引き上げ時、及び苗取り時に荷重がかからないカム機構に構成すれば、シャクリ上げ現象に対応することができる。
そして、一対の苗植付杆４５，４５がロータリー状に回転する植付軸の基部に装備されているロータリーカムに適宜強さのスプリングで制動をかけて、負荷の変動を減少して上記シャクリ上げ現象に対応することもできる。
【００４５】
なお、図８において、ユニバーサルジョイント９７の基部に施肥伝動カム９８を軸着して施肥装置１０に回転動力を取り出す構成としている。
つぎに、図９に示す実施例は、畦クラッチの噛合爪の展開図であるが、１００は、駆動側のクラッチ爪を示し、１０１は従動側のクラッチ爪である。そして、従動側のクラッチ爪１０１は、駆動方向側１０２の形状は直角形状とし、非駆動方向側１０３に角度をつけた噛み合い形状に形成している。
【００４６】
つぎに、苗植付杆４５，４５の苗取量の調整について、図１０に基づいて実施例を説明する。
既に、周知のとおり、苗植付杆４５，４５は、一対がロータリー状に植付回転軌跡を描きながら半周遅れで植え付け作用が行われる構成となっている。そして、従来から、苗植付杆４５，４５は、苗載せ台３９の苗取出４３に対する苗取量を調整する場合、一本づつ別々に調整する構成であった。
【００４７】
それに対して、実施例は、二つの苗植付杆４５，４５にそれぞれ設けた取付アーム１０４を調整ロッド１０５で連結して構成し、一方の苗植付杆４５を調整すれば、他方の苗植付杆４５も調整ロッド１０５で連結されているから同時に連動状態で調整ができる構成にしたものである。このように、一対の苗植付杆４５，４５は、両方の固定ねじを緩めて調整ができる状態にしておき、一方を調整すれば、他方が調整ロッド１０５を介して連動されて全く同一の調整ができる。後は、固定ねじを締めるだけである。尚、植付作業時は、調整ロッド１０５の連結を外すか、又は調整ロッド１０５を伸縮自在となるように切り替える構成とすればよい。
【００４８】
以上のように、実施例は、相互に半周遅れで同一の植付回動軌跡を描きながら一つの苗取出口４３に突入して苗を取る二つの苗植付杆４５，４５を、一方側の苗植付杆４５の苗取量を調整すれば、他方も調整ロット１０５を介して連動して調整ができる特徴がある。
【図面の簡単な説明】
【００４９】
【図１】制御機構のブロック図
【図２】乗用田植機の側面図
【図３】乗用田植機の平面図
【図４】ＨＳＴの油圧回路図
【図５】作動油（オイル）の蒸気圧の変化を示すグラフ
【図６】油圧データの周波数を分析したグラフ
【図７】フローチャートを示すブロック図
【図８】植付伝動装置の展開した断面図
【図９】クラッチ爪の展開図
【図１０】苗植付杆の作用側面図。
【符号の説明】
【００５０】
１  車体                          ２  農業用作業車両
３  計測装置                      ４  消費材センサ
５  制御手段                      ６  告知装置。
【図１】
2009022209.tif 000003
【図２】
2009022209.tif 000004
【図３】
2009022209.tif 000005
【図４】
2009022209.tif 000006
【図５】
2009022209.tif 000007
【図６】
2009022209.tif 000008
【図７】
2009022209.tif 000009
【図８】
2009022209.tif 000010
【図９】
2009022209.tif 000011
【図１０】
2009022209.tif 000012